(57)【要約】      （修正有）【課題】制作費や在庫管理の費用を減少し、他用化や再使用、回収して多回数使用できるパッケージとパッキンの提供。【解決の手段】  まずパッキンをサイズが空気や液体などの注入排出で、自由に調整できるパッキン袋構造にする。そして、このサイズ自由調整構造のパッキンを、使用することを前提としたパッケージを製作する。【選択図】  図３
0003114320.tif 000002
【実用新案登録請求の範囲】
【請求項１】
球略球形円略円形略角形などの袋に空気や液体などをいれて自由に大小や厚みなどを調整でき多回数多種類に使用できるバルブ弁付きパッキン袋。
【請求項２】
請求項１のパッキン袋はポリエチレン、ゴム、ナイロン材などを使用し袋の外則表面に凸凹などの保護加工や軟堅毛植加工着色透明などにしたバルブ弁付きパッキン袋
【請求項３】
パッキン袋の一部に、機器又は人口注入口つきのバルブ台を装着し、排気止め用に接着ラベルを使用したバルブ付きパッキン袋。
【考案の詳細な説明】
【技術分野】
【０００１】  本考案は、郵便小包や宅急便などの包装や荷造り、製品の保存などの保護材に使用するパッキンに関するものです。
特にサイズを容易に空気調節で変更できるパッキン袋で、パッケージと組み合わせて使用するとパッケージの種類を少数にすることが出来コストの削減ができます。
パッキン袋は使用後空気を抜いて折り畳み保存でき、再度容易に他サイズにもまた多回数使用することができます。
【背景技術】
【０００２】  従来も現在も郵便小包や宅急便などのパッキンは紙や発砲スチロールなどが使われています。本考案のパッキン袋も、空気調整のバルブ付きパッキンは使われていません。
現在のパッケージは商品や製品に合わせて制作しています。よって製品や商品の種類の数だけのパッケージ種類数が必要になります。
よって現在のパッケージは一製品専用のものですから、一回限りの使い捨てとなります。再使用や他製品への流用などは配慮されていません。
【考案が解決しようとする課題】
【０００３】  従来の技術で述べましたが、第一にサイズを自由に調整できるパッキンを製作することです。第二は、使い捨てのパッケージ製作を改め、再使用多回数使用を前提とした多種他用化を配慮したした物に改めます。
第三は、パッケージコストの軽減をはかるため、商品製品ごとに個別に作られていたパッケージをサイズ自由調整パッキンを使用し少種類化し同一種類大量製作にします。
第四は、再度使用、多回数使用、他物にも使用できるパッキンとパッケージを回収するシステムを確立して、廃棄物の多発を防ぎ、廃棄処理コスト、公害、資源枯渇、自然環境保護の課題をも解決します。
【課題を解決するための手段】
【０００４】  上記第一の課題は、空気を注入排出することによりサイズを自由に調整できるパッキン袋、空気注入排出口を手結び方式で調整できる簡易パッキン袋を製作します。
また精密度を要するパッキンは、ポリエチレンなどで制作しパッキン調整の注入排出口には、医療点滴バルブ構造の器具などを装着。強力度を要するパッキンにはタイヤ空気バルブ弁構造の器具を装着して製作し課題を解決しています。
【０００５】  第二は、商品や製品に合わせて専用のパッケージを作るのではなく、パッキン調整で可能な最少公約数の種類に限定して製作します。したがってサイズ自由調整パッキンをパッケージに組み合わせることにより、再使用、他用化多回数使用ができ課題を解決しています。
第三の課題は、前記のごとくパッキン袋のサイズを自由に調整できるので、このパッキンをパッケージと組み合わせ使用することにより、少種類パッケージで多種類に使用できる。よって、同一種類パッケージを大量製作でき製作コストや保管費、在庫管理費などのコストを軽減することができます。
【０００６】  第四の課題、サイズ自由調整パッキンは使用後パッキン袋の空気を抜いて折り畳み返送、または再使用の日まで保管します。またはパッケージと共に発送人宛に返送し、再使用します。この返送料金は「商品の販売人」の負担にし販売人は自然環境保護の協力者としての信頼度を高める効果を上げることができます。
よって、廃棄物の多発を防ぎ、廃棄処理コスト、公害、資源枯渇、自然環境保護の課題をも解決します。
【考案を実施するための最良の形態】
【０００７】  考案の実施の形態について、図面により説明します。
図１は、サイズ自由調整バルブは手結び形式の簡易パッキン袋の一例の説明図です。
Ａ．はパッキン袋の本体。このパッキン袋にパッキンとして適するサイズとなる空気などを注入します。
Ｂ．は空気の注入排出のバルブ管。このバルブ管は「手結び」に必要な長さでパッキン袋に装着されています。
Ｃ．は空気の注入排出のバルブ管手結び図。Ｂのバルブ管から空気などを注入しパッキンサイズにし、バルブ管を結び排出を止めパッキンのサイズを固定します。
図２は、精密な物品のパッキン袋とサイズ調整バルブ器具を一例とした説明図です。
ａ．はパッキン袋の本体。
ｂ．は空気の注入排出のバルブ管。
ｃ．サイズ調整バルブ。で医療の点滴バルブ構造のものを装着した図で、パッキン袋とサイズ調整注入排出管は一体になっています。
図３は、サイズ自由調整空気を針孔注入また人口注入方法とし、排気止めを接着ラベル止めとした、多回数使用のテープ止め形式の説明図です。
（１）．サイズ自由調整型のパッキン袋。
（２）．空気注排バルブ部分。図はバルブ台部。
（３）．空気注排バルブ口範囲。空気注排バルブ部分の中央部。（薄くなっている部分）
（４）．針孔注入口また人口注入口。中央に「空気針孔注入具」により注入したり、またストローを差し込んで人口で注入します。
（５）排出口止め接着ラベル。このラベルを（２）の空気注排バルブ部分に接着します。
（６）排出口止め接着ラベルの取手。接着面は厚みのある軟質の材料を使用してあるので、ラベルが完全に接着できます。また排気するときは、この取手によりラベルが簡単に剥がせます。よって、再使用の手間が省けます。
図４は、強度を必要とする重量物用のパッキン袋と、サイズ調整バルブ器具を一例とした説明図です。
イ．はパッキン袋の本体。
ロ．は空気の注入排出のバルブ管。
ハ．はサイズ調整バルブで、タイヤのバルブと同じ構造のバルブを装着したパッキン袋とサイズ調整注入排出管は一体になっていて、その注入排出管にバルブ栓が装着されています。
図５は、汚損の恐れのある用途に使用する場合のパッキン袋の説明図です。
（１）は・外袋の本体。  外袋は主に汚損から内袋を保護する場合に使用します。
（２）は・外袋のバルブ。輪ゴム・バンド止め。空気注入は特に必要としない。
（３）は・内袋。で内袋は用途に合わせて、各種のパッキン袋が使用できます。
なお、単独袋での使用より二重にして使用すると強度が倍加します。
【考案の効果】
【０００８】  本考案は上述の通りです。
【０００９】  本考案のパッキンは、託送便、小包、郵便、製品保護など活用の範囲は広く、また衝撃に弱い陶器や凹凸の激しい製品などの保護材など、サイズが自由にしかも容易に調整できるパッキンの活用は計り知れないほどの効果が上げられます。
【００１０】  本考案のもう一つの要点は、従来のパッキンは使い捨てが通例です。それは製品に合わせた専用形なので他用できないからです。本考案のパッキンは自由調整できるので、パッキンはもとよりパッケージも他用化できます。
パッケージもパッキンも他用化でき、多回数再使用できる効果が上げられます。
【００１１】  上記による他用化は、パッキンパッケージの製作コスト軽減効果を上げ、再使用多回数使用を高め、廃棄処理数を減ずる効果を上げます。
そして、自然環境保護の効果も上げられます。
【図面の簡単な説明】
【００１２】
【図１】は、サイズ自由調整バルブ空気などの注入排出管を「手で結ぶ形式の簡易」パッキン袋を一例とした見取り図の説明図です。
【図２】は、精密な物品用のパッキン袋とサイズ調整空気などの注入排出を医療点滴構造のバルブ器具を使用した一例の説明図です。
【図３】は、サイズ自由調整空気を針孔注入また人口注入方法とし、排気止めを接着ラベル止めとした、多回数使用のテープ止め形式の説明図です。
【図４】は、強度を必要とする物品用のパッキン袋とサイズ調整空気などの注入排出をタイヤのバルブと同じ構造のバルブを装着した一例の説明図です。
【図５】は、汚損の恐れのある用途に使用する場合のパッキン袋の説明図です。
【符号の説明】
図１のＡ．は、パッキン袋の本体。Ｂ．は、空気の注入排出のバルブ管。Ｃ．は、空気の注入排出バルブ管を手で結んだ図です
図２のａ．パッキン袋の本体。ｂ．空気の注入排出のバルブ管。Ｃ．は、空気の注入排出管に「医療点滴バルブ」を付けた図です。
図３の（１）パッキン袋の本体。（２）空気の注入排出のバルブ台。（３）空気の注入排出バルブ口範囲。（４）空気の注入排出口。（５）排出口止め接着ラベル。（６）排出口止め接着ラベルの取手。
図４のイ．は、パッキン袋の本体。ロ．は、空気の注入排出のバルブ管。ハ．は空気の注入排出管に「タイヤバルブ」構造を付けた図です。
図５の（１）パッキン袋。（２）内袋入出口の輪ゴム止め部。（３）内袋・各種パッキン袋。
【図１】
0003114320.tif 000003
【図２】
0003114320.tif 000004
【図３】
0003114320.tif 000005
【図４】
0003114320.tif 000006
【図５】
0003114320.tif 000007